(57)【特許請求の範囲】
【請求項１】
ステムから流入する内容物の放出用通路に続く放出口への弁部材を当該放出口が閉状態となる方向に弾性体で付勢し、操作部の放出操作時には、当該弁部材を当該方向とは逆方向に移動させて当該放出口が開状態に設定される容器用放出ボタンにおいて、
前記放出用通路および当該通路の一部に形成された連通孔を少なくとも有して、前記ステムに取り付けられるヘッドを備え、
前記ヘッドの上面側に、前記連通孔および前記放出用通路を経由して前記放出口と連通する吸入用空間部を形成する弾性部材を設け、
前記弾性部材を押圧する上部内面および前記弁部材への押圧作用部を有して、前記ヘッドに対し上下動可能なカバー体を備え、
前記カバー体の押下げ操作時には、当該カバー体が前記ヘッドに対し下動して、前記押圧作用部と当接する前記弁部材が前記弾性体の付勢力に抗する形で前記逆方向に駆動されるとともに、前記上部内面に押圧される前記弾性部材を下方向に変形させることにより前記吸入用空間部の容積が減少し、
前記押下げ操作を止めた時には、前記弁部材が前記弾性体の付勢力で前記放出口の閉状態に復帰して前記押圧作用部およびこれと一体の前記カバー体を上方向に移動させるともに、この移動にともない前記弾性部材に対する当該カバー体の前記上部内面の押圧作用がなくなって当該弾性部材も自らの弾性力で元の状態に復帰し、その結果、前記吸入用空間部の内部容積もまた減少前の状態に回復することにより、前記放出用通路や当該放出口の残留内容物が当該吸入用空間部に吸引される、
ことを特徴とする容器用放出ボタン。
【請求項２】
前記カバー体の押圧作用部およびこれと当接する前記弁部材の被押圧部はいずれもテーパ部である、
ことを特徴とする請求項１記載の容器用放出ボタン。
【発明の詳細な説明】
【０００１】
【発明の属する技術分野】
本発明は、化粧品などの各種内容物を外部に放出するポンプタイプの容器やエアゾールタイプの容器に使用される容器用放出ボタンに関し、特に内容物の放出用通路に続く放出口を閉塞するように弾性体で付勢された弁部材や、当該放出用通路に連通するかたちで設けた吸入用空間部の作用によって、放出操作終了時の、放出口やその近くの残留内容物の「当該放出口からのタレ」や「固化・変質」を防止するようにした容器用放出ボタンに関する。
【０００２】
【従来の技術】
各種タイプの容器における放出操作時の内容物流出の応答性を速くするとともに、放出操作終了時のいわゆる「キレ」を良くして余分なタレ防止を図ることなどを志向したものとしては、本件出願人が特許出願した容器用噴射ボタン（特願平９−２４９８３９号）がある。
【０００３】
この容器用噴射ボタンは、弾性体によって噴射口（放出口）を閉塞するように付勢された弁部材を備え、使用開始時にはこの弁部材を弾性体の付勢方向とは逆方向に移動させ、使用終了時にはこの弁部材を弾性体で復帰させることにより、内容物の最終的な出口となる噴射口を操作モ−ドに対応させて閉状態と開状態とに切り換えている。
【０００４】
そのため、噴射後静止状態に戻った時には噴射口そのものが閉状態となってその近くの通路部分の残留内容物は外部空間から遮断され、また、その後の噴射操作時には噴射口が開状態となって当該残留内容物や容器本体側の内容物が放出されることになる。
【０００５】
この動作により、前述のように、噴射口からの内容物流出に関しての開始、終了時の応答性を改良し、また、ボタン復帰時のタレ防止を図っている。
【０００６】
【発明が解決しようとする課題】
このように、前記出願の容器用噴射ボタンは、内容物の噴射開始、噴射終了に際しての応答性や、噴射終了に際して噴射口やその近くの通路部分の残留内容物の処理の点で使い勝手のよいものになっているが、アウタ−ドロ−対策、すなわち噴射ボタン内に残留していた内容物がその先端部から外に出て垂れてしまうことへの対策の点で改善の余地を残している。
【０００７】
そこで、本発明では、放出口（噴射口）に対する弁部材とともに、放出用通路を経由して放出口と連通する吸入用空間部を設けて、放出操作終了時には放出口や放出用通路の残留内容物をこの吸入用空間部に積極的に収納して当該残留内容物が放出口などに残るといったことをなくし、かつ、放出操作終了時の内容物のタレ防止や、内容物の固化・変質の防止をより確実なものにすることを目的とする。
【０００８】
本発明は、以上の課題を次のようにして解決する。
（１）ステム（例えば後述のステム１３）から流入する内容物の放出用通路（例えば後述の放出用通路２ａ，２ｂ）に続く放出口（例えば後述の放出口３ａ）への弁部材（例えば後述の逆止弁４）を当該放出口が閉状態となる方向に弾性体（例えば後述のスプリング５）で付勢し、操作部（例えば後述のカバー体８の上面部分）の放出操作時には、当該弁部材を当該方向とは逆方向に移動させて当該放出口が開状態に設定される容器用放出ボタン（例えば後述の容器用放出ボタン１）において、
前記放出用通路および当該通路の一部に形成された連通孔（例えば後述の連通孔２ｃ）を少なくとも有して、前記ステムに取り付けられるヘッド（例えば後述のヘッド２）を備え、
前記ヘッドの上面側に、前記連通孔および前記放出用通路を経由して前記放出口と連通する吸入用空間部（例えば後述の吸入用空間部６ａ）を形成する弾性部材（例えば後述の弾性部材６）を設け、
前記弾性部材を押圧する上部内面（例えば後述の上部内面８ｄ）および前記弁部材への押圧作用部（例えば後述の弁作用部８ａ）を有して、前記ヘッドに対し上下動可能なカバー体（例えば後述のカバー体８）を備え、
前記カバー体の押下げ操作時には、当該カバー体が前記ヘッドに対し下動して、前記押圧作用部と当接する前記弁部材が前記弾性体の付勢力に抗する形で前記逆方向に駆動されるとともに、前記上部内面に押圧される前記弾性部材を下方向に変形させることにより前記吸入用空間部の容積が減少し、
前記押下げ操作を止めた時には、前記弁部材が前記弾性体の付勢力で前記放出口の閉状態に復帰して前記押圧作用部およびこれと一体の前記カバー体を上方向に移動させるともに、この移動にともない前記弾性部材に対する当該カバー体の前記上部内面の押圧作用がなくなって当該弾性部材も自らの弾性力で元の状態に復帰し、その結果、前記吸入用空間部の内部容積もまた減少前の状態に回復することにより、前記放出用通路や当該放出口の残留内容物が当該吸入用空間部に吸引される、ようにする。
（２）上記（１）において、
前記カバー体の押圧作用部およびこれと当接する前記弁部材の被押圧部（例えば後述のテーパ部４ｃ）をいずれもテーパ部の態様に設定する。
【０００９】
本発明の容器用放出ボタンはこのような構成を有しているので、その放出操作終了時には、吸入用空間部の内部容積がそれまでの放出操作時よりも増加してそこでの圧力が低下し、放出口や放出用通路の残留内容物が連通孔からこの吸入用空間部に流入することになる。
【００１０】
また、カバ−体からなる操作部を押すことにより、弾性部材で形成した吸入用空間部を縮小させるとともに、弁部材移動用のテ−パ部を作動させて放出口を開状態にしている。
【００１１】
【発明の実施の形態】
図１および図２を用いて、本発明の実施の形態を説明する。
図１は容器用放出ボタンの不使用モードを示す説明図であり、図２は容器用放出ボタンの使用モードを示す説明図であり、ここでは、説明の便宜上、ポンプタイプの容器を前提としている。
【００１２】
図１および図２において、１は容器用放出ボタン、２は筒状のヘッド、２ａは縦方向の放出用通路、２ｂは横方向の放出用通路、２ｃは連通孔、２ｄは外周面、３はノズル、３ａは放出口、４は逆止弁（弁部材）、４ａは先端部、４ｂはシール部、４ｃはテーパ部、５はスプリング、６は弾性部材、６ａは吸入用空間部、７はブッシュ、８はカバー体、８ａはテーパ状の弁作用部、８ｂは内周面、８ｃは前面開口部、８ｄは放出操作時に弾性部材６を押圧する上部内面、９はポンプタイプの内容物放出機構、１０はハウジング、１０ａは貯留空間、１０ｂは使用時の容器本体の内部と外気とを連通させて内部圧力の減少を防ぐための横孔、１１は弾性力で上方に付勢されて周面上部には上下方向の溝部を所定間隔で形成した柱状部、１１ａはテーパ部、１２は上方弁、１２ａは内周面下端部、１２ｂは外周面下端部、１２ｃは外周面上端部、１２ｄは上部外周面、１２ｅは柱状部１１と上方弁１２との間の隙間、１３はステム、１３ａは放出用通路、１３ｂは外周面段部、１４はスプリング、１５は下方弁、１６はラバー、１７はキャップ、１７ａは内周面段部、１８は容器本体、１９は内容物吸い上げ用のパイプをそれぞれ示している。
【００１３】
図示の容器用放出ボタン１は、
・縦方向の放出用通路２ａ、これに続く横方向の放出用通路２ｂ、およびこの通路の一部に形成された連通孔２ｃなどを有するヘッド２
・横方向の放出用通路２ｂの出口部分に固定されたノズル３、
・連通孔２ｃに続く部分に吸入用空間部６ａを形成するために、ヘッド２の上面凹部にブッシュ７を用いて嵌め込まれた弾性部材６、
・横方向の放出用通路２ｂに内装され、ノズル３の放出口３ａを閉塞する方向にスプリング５で付勢された逆止弁４、
・ヘッド２に対して上下動（慴動）可能な操作部であって、押し下げ操作時には、弾性部材６を押圧して吸入用空間部６ａの内部容積を減少させるとともに、逆止弁４をスプリング５の弾性力に抗して開状態（図面右方向）へと移動させるカバ─体８、
の構成要素からなっている。
【００１４】
カバー体８の押し下げ操作時、すなわち使用モ−ドのときに逆止弁４が図面右方向へと移動するのは、カバー体８のテーパ状の弁作用部８ａで逆止弁４のテーパ部４ｃを押圧しているからである。なお、これらの押圧作用部（８ａ、４ｃ）の任意の一方のみをテーパ形状とするようにしてもよい。また、逆止弁４の後部分の外周面には、その一周にわたってシール部４ｂが設けてある。
【００１５】
ヘッド２の外周面２ｄに摺動自在な形で嵌め込まれたカバー体８は、図１の不使用モードのとき、スプリング５の弾性力で図面左方向に付勢された逆止弁４のテーパ部４ｃとテーパ状の弁作用部８ａとの当接作用で上方に持ち上げられた状態になっている。
【００１６】
このように構成された容器用放出ボタン１は、ステム１３、柱状部１１および上方弁１２といわば一体になったかたちでスプリング１４とともにハウジング１０の内部に設定されている。
【００１７】
すなわち、ヘッド２の縦方向の放出用通路２ａの下部にステム１３が嵌め込まれ、ステム１３の下部には柱状部１１が嵌め込まれている。また、柱状部１１はスプリング１４によって上方へ付勢され、ハウジング１０およびステム１３の各内周面と柱状部１１の外周面との間には上方弁１２がこれらの各周面に対して上下動可能なかたちで設けてある。
【００１８】
上方弁１２は、その外周面下端部１２ｂおよび外周面上端部１２ｃがともにハウジング１０の内周面に、その上部外周面１２ｄがステム１３の下部内周面にそれぞれ密接するとともに、図１の不使用モードでは、その内周面下端部１２ａが柱状部１１のテーパ部１１ａに密接している。
【００１９】
ハウジング１０の下方のテーパ部分に設けた下方弁１５と、柱状部１１および上方弁１２との間に、容器本体１８から吸い上げた内用物の貯留空間１０ａを形成している。
【００２０】
ハウジング１０はキャップ１７に嵌め込まれており、また、キャップ１７および容器本体１８は、ハウジング１０の上部のフランジ部分と容器本体１８の開口縁部との間にラバー１６を挟んだかたちでネジ結合している。
【００２１】
図１の不使用モードのとき、すなわち容器用放出ボタン１が押し下げられていないとき、
・貯留空間１０ａは、直前の使用モードから不使用モードへの復帰時に容器用放出ボタン１が上動して貯留空間内部の圧力が容器本体１８のそれより低くなるため、下方弁１５がいったん開いて、容器本体１８の内容物を吸い上げ、
・容器用放出ボタン１は、スプリング１４の作用で、ステム１３の外周面段部１３ｂがキャップ１７の内周面段部１７ａに接するまで上動し、
・上方弁１２は、外周面下端部１２ｂおよび外周面上端部１２ｃで内部圧力の減少防止用の横孔１０ｂを、また、内周面下端部１２ａで柱状部１１のテーパ部１１ａをそれぞれシ−ルドし、
・逆止弁４はスプリング５の作用で左方向に移動し、かつテーパ状の８ａと４ｃの作用でカバー体８が上昇し、
・弾性部材６によって形成されている吸入用空間部６ａは、この復帰時に、それまでカバー体８で押されて減少していた内部容積が回復するため、放出口３ａや放出用通路２ｂの残留内容物を吸い込み、
・カバー体８は、テーパ状の弁作用部８ａと逆止弁４のテーパ部４ｃとの作用により弾性部材６から離間する位置までヘッド２に対して上動し、
・放出口３ａは逆止弁４の先端部４ａの作用で閉状態になっている。
【００２２】
ここで、図２の使用モードに切り換える、すなわちカバー体８をヘッド２に対して下動させると、先ず、そのテーパ状の弁作用部８ａで逆止弁４のテーパ部４ｃが右方向に移動するとともに、その上部内面８ｄで弾性部材６を押圧して吸入用空間部６ａの内用物を横方向の通路２ｂに押し出す。
【００２３】
このとき、逆止弁４の右方向への移動によって放出口３ａが開放され、吸入用空間部６ａから連通孔２ｃ、横方向の通路２ｂへと進んだ内容物はこの放出口３ａから外部空間へと放出される。
【００２４】
ヘッド２は、また弾性部材６がカバー体８の上部内面８ｄに完全に押圧されるまでは停止しているが、この後はカバー体８と一体になって下動する。
【００２５】
このヘッド２の下動により柱状部１１も下がって貯留空間１０ａの圧力が高くなるため、上方弁１２は柱状部１１と連動せずにこれに対して相対的に上動した位置状態となり、上方弁１２の内周面下端部１２ａは柱状部１１のテーパ部１１ａから離間する。
【００２６】
その結果、圧力が高くなった貯留空間１０ａの内容物は、この離間部分−柱状部１１と上方弁１２との間の隙間１２ｅ−ステム１３の放出用通路１３ａ−縦方向の放出用通路２ａ−横方向の放出用通路２ｂを経由して放出口３ａまで移動し、外部空間へと放出される。
【００２７】
また、この使用モ−ドでは、上方弁１２は内部圧力の減少防止用の横孔１０ｂよりも下方に位置しており、図示のＡで示すように、この横孔１０ｂを介して容器本体１８の内部と外部空間は連通している。
【００２８】
次に、カバー体８の押圧操作を止めると、前述のように、逆止弁４、カバー体８、弾性部材６、柱状部１１、上方弁１２やステム１３はすべてスプリング５およびスプリング１４の作用で図１の状態に復帰する。
【００２９】
この復帰の際、
・その内部容積がそれまでの使用モ−ドのときより大きくなって圧力が低くなる吸入用空間部６ａには放出口３ａや横方向の放出用通路２ｂの残留内容物が吸引され、
・同じように内部容積が大きくなって容器本体１８の内部よりも圧力が低くなる貯留空間１０ａでは、この圧力差のために下方弁１５が開いて容器本体１８の内容物が流入する。なお、下方弁１５は、内容物の流入によって当該圧力差が解消した時点で閉じる。
【００３０】
弾性部材６としては、合成ゴムや天然ゴム、樹脂のほかに薄い金属片（ダイヤフラム状）なども使用できる。
【００３１】
なお、本発明の容器用放出ボタンは薬品、化粧品、殺虫剤、塗料などの各種包装容器の内容物放出機構に適用できる。
【００３２】
【発明の効果】
本発明は、このように、放出口（噴射口）に対する逆止弁や、放出用通路を経由して放出口と連通する吸入用空間部を設けて、放出操作終了時には逆止弁で放出口を閉じるとともに、放出口や放出用通路の残留内容物をこの吸入用空間部に積極的に収納し、放出操作の際には当該吸入用空間部の内容物も放出口に送られるようにしているので、放出操作時の内容物放出動作の応答性をより改良するとともに、放出操作終了時の内容物のタレ防止や、内容物の固化・変質の防止をより確実なものにすることができる。
【００３３】
また、吸入用空間部を形成するための弾性部材として合成ゴムや天然ゴムなどを用いる場合、カバー体の使用によって、この弾性部材が紫外線や水分などのために劣化することを防止できる。
【図面の簡単な説明】
【図１】本発明の、容器用放出ボタンの不使用モードを示す説明図である。
【図２】本発明の、容器用放出ボタンの使用モードを示す説明図である。
【符号の説明】
１    ：容器用放出ボタン
２    ：筒状のヘッド
２ａ  ：縦方向の放出用通路
２ｂ  ：横方向の放出用通路
２ｃ  ：連通孔
２ｄ  ：外周面
３    ：ノズル
３ａ  ：放出口
４    ：逆止弁（弁部材）
４ａ  ：先端部
４ｂ  ：シール部
４ｃ  ：テーパ部
５    ：スプリング
６    ：弾性部材
６ａ  ：吸入用空間部
７    ：ブッシュ
８    ：カバー体
８ａ  ：テーパ状の弁作用部
８ｂ  ：内周面
８ｃ  ：前面開口部
８ｄ  ：放出操作時に弾性部材６を押圧する上部内面
９    ：ポンプタイプの内容物放出機構
１０  ：ハウジング
１０ａ：貯留空間
１０ｂ：内部圧力の減少を防ぐための横孔
１１  ：柱状部
１１ａ：テーパ部
１２  ：上方弁
１２ａ：内周面下端部
１２ｂ：外周面下端部
１２ｃ：外周面上端部
１２ｄ：上部外周面
１２ｅ：柱状部１１と上方弁１２との隙間
１３  ：ステム
１３ａ：放出用通路
１３ｂ：外周面段部
１４  ：スプリング
１５  ：下方弁
１６  ：ラバー
１７  ：キャップ
１７ａ：内周面段部
１８  ：容器本体
１９  ：内容物吸い上げ用のパイプ
【図１】
0003828257.tif 000002
【図２】
0003828257.tif 000003